(57)【要約】      （修正有）【課題】魚類を効果的に育成できる水槽を提供する。【解決手段】ループ型水槽１は，第１の円形状水槽部１０と，第２の円形状水槽部２０と，これらの水槽部１０，２０を接続する接続部３０とを有する。接続部３０は，第１の円形状水槽部１０の第１の端部１１と，第２の円形状水槽部２０の第１の端部２１とを接続する第１の接続流路３１と，第１の円形状水槽部１０の第２の端部１２と，第２の円形状水槽部２０の第２の端部２１とを接続する第２の接続流路３２とを含み，第１の接続流路３１の下部に第２の接続流路３２が存在している。【選択図】図１
2020031534.tif 000002
【特許請求の範囲】
【請求項１】
第１の円形状水槽部（１０）と，
第２の円形状水槽部（２０）と，
第１の円形状水槽部と第２の円形状水槽部を接続する接続部（３０）と，を有する
ループ型水槽（１）であって，
前記接続部（３０）は，
第１の円形状水槽部（１０）の第１の端部（１１）と，第２の円形状水槽部（２０）の第１の端部（２１）とを接続する第１の接続流路（３１）と，
第１の円形状水槽部（１０）の第２の端部（１２）と，第２の円形状水槽部（２０）の第２の端部（２１）とを接続する第２の接続流路（３２）と，を含み，
第１の接続流路（３１）の下部に第２の接続流路（３２）が存在する
ループ型水槽。
【請求項２】
請求項１に記載のループ型水槽（１）であって，
第１の円形状水槽部（１０），第２の円形状水槽部（２０），及び接続部（３０）は，断面が円状，上部が切欠きされた円状，弓型，Ｕ字状，又は面取りされた四角状である
ループ型水槽
【請求項３】
請求項１に記載のループ型水槽（１）と，
１又は複数のセンサ（３）と，
１又は複数の供給部（４）と，
前記１又は複数のセンサ（３）から受け取ったセンシング情報を用いて，１又は複数の供給部（４）を制御する制御部（５）と，を有し，
前記制御部（５）は，前記１又は複数のセンサ（３）により得られたセンシング情報から，魚類の濃度，エサの濃度，排泄物又は排泄物由来の物質の濃度，及び残渣の濃度の１又は複数を解析し，前記１又は複数の供給部（４）から供給される，水及びエサのいずれか又は両方の供給量を制御する制御指令を前記１又は複数の供給部（４）へ伝え，
前記１又は複数の供給部（４）は，前記制御部からの制御指令に従って，水及びエサのいずれか又は両方の供給量を制御する，
水槽システム。
【請求項４】
請求項１に記載のループ型水槽（１）と，
前記ループ型水槽（１）を収容する水槽（２）を備える
水槽システム。
【発明の詳細な説明】
【技術分野】
【０００１】
本発明は，水槽及び水槽システムに関する。具体的に説明すると，本発明は，ウナギなどの回遊性の魚類を連続的に遊泳させることにできるループ型の水槽などに関するものである。
【背景技術】
【０００２】
ウナギやマグロなどの広域回遊魚類は，漁獲量の多寡により価格が不安定である。このため，現在，これらの魚類についての効率的で安定した養殖技術の確立が望まれている。この点，従来から，ウナギなどの広域回遊魚類に関する養殖が進められてきた。一般的に，広域回遊魚類に関し，海洋から捕獲した仔稚魚もしくは幼魚を種苗として生簀などで養殖する養殖技術はある程度確立されているものの，人為催熟した卵を用いた人工種苗生産技術は，まだ十分に確立されていない。特にウナギを完全養殖しようとした場合，人工的に孵化させたウナギ葉形仔魚は，天然のウナギ葉形仔魚に比べて成長が遅いなどの課題が山積されており，ウナギ人工仔稚魚飼育に適した環境づくりや，病気に強く成長が早いなどの特徴を持ったウナギ等の育種技術の開発が必要とされている。
【０００３】
ここで，回遊魚類の養殖水槽あるいは養殖装置として，特許文献１及び２に開示されたものが知られている。特許文献１には，同心円状に配置された複数の流路を含む水槽が記載されている。また，特許文献２には，筒状の流路を螺旋状にした水槽が記載されている。
【先行技術文献】
【特許文献】
【０００４】
【特許文献１】特開２００６−１０１７３８号公報
【特許文献２】特開２００６−２９６２８３号公報
【発明の概要】
【発明が解決しようとする課題】
【０００５】
ところで，ウナギ葉形仔魚（レプトケファルス幼生）は擦れに弱いことが知られおり，水槽内で餌や仔魚が密集すると，仔魚同士の接触や仔魚と餌との接触頻度が高まり，成魚となる前に死亡するリスクが高まる。しかしながら，特許文献１の養殖水槽は，回遊レーンが同心円状に配置されているに過ぎず，水流が単調であるため，その水槽内で仔魚が餌や別の個体に接触するリスクが高い。また，特許文献２の養殖装置は，筒状の流路が螺旋状に形成されているものの，基本的には特許文献１の水槽と同様に，水流が単調な円周状であるため，水槽内で仔稚魚が餌や別の個体に接触するリスクは高いままである。
【０００６】
そこで，本発明は，上記従来の水槽の問題を克服し，魚類を効果的に育成できる水槽を提供することを解決課題とする。より具体的には，本発明は，水槽内の水流を複雑化し，仔稚魚が餌や別の個体に接触するリスクを低減することを目的とする。
【課題を解決するための手段】
【０００７】
本発明は，基本的に，ループ型水槽の形状を平面視∞状として，水流系を複雑化することにより，水槽内に乱流を発生させて仔稚魚を効果的に撹拌することが可能となり，その結果，仔稚魚が理想的な状態で浮遊する環境を形成できるという知見に基づくものである。
【０００８】
本発明の第１の側面は，ループ型の水槽に関する。本発明に係るループ型水槽１は，第１の円形状水槽部１０と，第２の円形状水槽部２０と，第１の円形状水槽部と第２の円形状水槽部を接続する接続部３０とを有する。ここにいう「円形状水槽部」とは，平面視において，魚類が遊泳する流路が略円形状（環状）に形成された水槽部である。ここで，接続部３０は，第１の接続流路３１と第２の接続流路３２とを含む。第１の接続流路３１は，第１の円形状水槽部１０の第１の端部１１と，第２の円形状水槽部２０の第１の端部２１とを接続する流路である。また，第２の接続流路３２は，第１の円形状水槽部１０の第２の端部１２と，第２の円形状水槽部２０の第２の端部２１とを接続する流路である。そして，本発明の水槽では，第１の接続流路３１の下部に第２の接続流路３２が存在している。すなわち，第１の接続流路３１と第２の接続流路３２とが上下に交差した構造となる。
【０００９】
上記構成のように，第１の接続流路３１と第２の接続流路３２とが上下に交差していることで，水槽部内に上下方向の水流を発生させることができる。また，ループ型水槽の形状が平面視において∞状となっていることで，流路に左カーブと右カーブとが形成されることとなるため，水槽部内に左右方向の水流を発生させることができる。これにより，本発明によれば，水槽内に複雑な水流が発生するため，その中を遊泳する仔稚魚が効果的に撹拌され，仔稚魚同士が塊状になることを防除することができる。その結果，ウナギ葉形仔魚のような擦れに弱い仔魚を飼育する場合であっても，仔魚が餌や別の個体に接触するリスクを低減して，効果的に飼育することができる。特に，本発明の水槽は，広域回遊性を持ち，蛇行型の遊泳方法をとるウナギ仔稚魚の飼育に有効であるといえる。なお，本願明細書において，「ウナギ」とは，ウナギ科（Anguillidae）ウナギ属（Anguilla）に属する魚類を意味する。
【００１０】
本発明の水槽において，第１の円形状水槽部１０，第２の円形状水槽部２０，及び接続部３０は，その断面が，円状，上部が切欠きされた円状，弓型，Ｕ字状，又は面取りされた四角状（すなわち角を丸くした四角形状）であることが好ましい。このように，各流路の内形に丸みを持たせることで，水流が円滑になるとともに，流路を遊泳する魚類に与えるストレスを低減できる。また，各流路の断面を切欠きされた円状，弓形，あるいはＵ字状のように，上部の一部が開放された形状とすることで，水槽の内壁の清掃作業や，水槽内に蓄積した排泄物やエサの除去作業が容易になる。
【００１１】
本発明の第２の側面は，水槽システム１００に関する。本発明の水槽システム１００は，１又は複数のセンサ３と，１又は複数の供給部４と，制御部５とをさらに有することが好ましい。制御部５は，１又は複数のセンサ３から受け取ったセンシング情報を用いて，１又は複数の供給部４を制御するためのコンピュータである。制御部５は，１又は複数のセンサ３により得られたセンシング情報から，魚類の濃度（密度），エサの濃度，排泄物又は排泄物由来の物質の濃度，及び残渣の濃度の１又は複数を解析し，１又は複数の供給部４から供給される，水及びエサのいずれか又は両方の供給量を制御する制御指令を生成して，この制御指令を１又は複数の供給部４へと伝達する。１又は複数の供給部４は，制御部５からの制御指令に従って，水及びエサのいずれか又は両方の供給量を制御する。このように構成することで，水槽内の環境を，魚類の飼育に適した環境に簡単又は自動的に調整することができる。
【００１２】
本発明の水槽システムは，上記した第１の側面に係るループ型水槽１に加えて，さらに，この水槽１を収容する外部水槽２を備えることが好ましい。ループ型水槽１は，貯水量に限界があるため，その水槽内の水温が外気の気温によって影響を受けて変化しやすい。そこで，上記構成のように，外部水槽２内にループ型水槽１を設置し，これらの水槽１，２の両方に水を溜めることで，ループ型水槽１内の水温が外気によって影響を受けにくくなる。これにより，ループ型水槽１内の水温を一定の温度に制御しやすくなる。
【発明の効果】
【００１３】
本発明によれば，魚類を効果的に育成可能な水槽及び水槽システムを提供できる。
【図面の簡単な説明】
【００１４】
【図１】図１は，本発明に係る水槽システムの例を示した外観斜視図である。
【図２】図２は，本発明に係るループ型水槽を示した模式図である。図２（ａ）は，ループ型水槽の平面図である。図２（ｂ−１）及び（ｂ−２）は，ループ型水槽の一実施形態を示した側面図である。図２（ｃ−１）及び（ｃ−２）は，ループ型水槽の他の実施形態を示した側面図である。
【図３】図３は，ループ型水槽を形成する流路の断面形状の例を示した断面図である。
【図４】図４は，ループ型水槽，センサ，供給部，及び制御部を模式的に示したブロック図である。
【発明を実施するための形態】
【００１５】
以下，図面を用いて本発明を実施するための形態について説明する。本発明は，以下に説明する形態に限定されるものではなく，以下の形態から当業者が自明な範囲で適宜修正したものも含む。なお，本願明細書において，「Ａ〜Ｂ」は「Ａ以上Ｂ以下」であることを意味する。
【００１６】
図１は，本発明に係る水槽システム１の一例を示した外観斜視図である。図１に示されるように，水槽システムは，魚類（特にウナギなどの回遊魚類の仔稚魚）を収容するためのループ型水槽１と，このループ型水槽１を収容するための外部水槽２とを含んで構成されている。ループ型水槽１と外部水槽２の両方には水が注入され，魚類の仔稚魚は，ループ型水槽１の中で飼育される。また，ループ型水槽１は，外部水槽２の中で水に浸る或いは水に浮かぶこととなる。ループ型水槽１は，平面視において∞状に構成されており，その中を魚類の仔稚魚が遊泳し続けることができるようにループ状に繋がっている。図１に示された例において，ループ型水槽１は，筒部材によって水の流路が形成された構造となっている。ただし，ループ型水槽１は，このような筒状に限定されず，上部が開放された形状であってもよい。また，外部水槽２は，例えばループ型水槽１を収容可能な平面視矩形状に形成されている。
【００１７】
図２（ａ）は，ループ型水槽１の形状を模式的に表した平面図である。図１及び図２（ａ）に示されるように，ループ型水槽１は，第１の円形状水槽部１０と，第２の円形状水槽部２０と，それらを接続する接続部３０とを有している。第１の円形状水槽部１０と第２の円形状水槽部２０は，図２（ａ）に示されるように，平面視においてその形状が，正円形状及楕円形状を含むほぼ円形状（環状）となる部位である。すなわち，各円形状水槽部１０，２０は，魚類を遊泳させるための水の流路が環状となっている。また，接続部３０は，第１の円形状水槽部１０と第２の円形状水槽部２０との間に位置しており，これらの円形状水槽部１０，２０がループを形成するように，両者を接続している。このようにして，第１の円形状水槽部１０と第２の円形状水槽部２０の間を接続部３０で接続することで，ループ型水槽１は，平面視において∞状となる。
【００１８】
より具体的に説明すると，ループ型水槽１の接続部３０は，第１の接続流路３１と第２の接続流路３２とを含む。第１の接続流路３１は，第１の円形状水槽部１０の第１の端部１１と，第２の円形状水槽部２０の第１の端部２１とを接続している。他方で，第２の接続流路３２は，第１の円形状水槽部１０の第２の端部１２と，第２の円形状水槽部２０の第２の端部２１とを接続している。図１に示されるように，第１の接続流路３１と第２の接続流路３２は，鉛直方向の上下に重なっており，第１の接続流路３１の下部に第２の接続流路３２が存在する。このように，ループ型水槽１は，第１の接続流路３１と第２の接続流路３２とが立体的に交差する構造となる。
【００１９】
図２（ｂ−１）及び図２（ｂ−２）は，ある実施形態に係るループ型水槽１を示している。図２（ｂ−１）は，ループ型水槽１の長手側の側面図であり，図２（ｂ−２）は，ループ型水槽１の短手側の側面図である。この実施形態において，各円形状水槽部１０，２０は，直線状に延びる（好ましくは地面と水平に延びる）直線部１０ａ，２０ａと，この直線部１０ａ，２０ａに対して所定角度θにて上方又は下方に向かって傾斜した傾斜部１０ｂ，１０ｃ，２０ｂ，２０ｃとを有している。直線部１０ａ，２０ａは，長手方向の外側を形成する部位であり，傾斜部１０ｂ，１０ｃ，２０ｂ，２０ｃは，長手方向の内側を形成する部位である。傾斜部１０ｂ，１０ｃ，２０ｂ，２０ｃは，直線部１０ａ，２０ａから上下方向の頂点に向かって傾斜しており，第１の接続流路３１と第２の接続流路３２を構成している。このように，長手方向の中央部に傾斜部１０ｂ，２０ｂを設けることで，第１の接続流路３１と第２の接続流路３２とが上下に重なることとなる。特に，図２（ｂ−１）及び図２（ｂ−２）で示した例では，第１の円形状水槽部１０と第２の円形状水槽部２０のそれぞれに，直線部１０ａ，２０ａに対して上向きに傾斜する傾斜部１０ｂ，２０ｂと，下向きに傾斜する傾斜部１０ｃ，２０ｃの両方が存在している。このように，上下方向両方に傾いた傾斜部１０ｂ，１０ｃ，２０ｂ，２０ｃが存在していることが好ましい。
【００２０】
図２（ｂ−１）においては，直線部１０ａ，２０ａの延在方向に対する傾斜部１０ｂ，１０ｃ，２０ｂ，２０ｃの傾きを，符号θで示している。傾斜部の傾斜角度θは，例えば，３〜３０度，５〜２０度，又は６〜１５度であることが好ましい。また，図２（ｂ−１）においては，ループ型水槽１を構成する管状部材の直径を符号Ｄで示し，第１の接続流路３１と第２の接続流路３２とが重なる部位において下端から上端までの高さを符号Ｈで示している。この場合において，高さＨは，直径Ｄの２倍以上であることが好ましい（Ｈ≧２Ｈ）。例えば，高さＨは，直径Ｄを１００％とした場合，２００〜６００％，２５０〜５００％，又は３００〜４５０％とすればよい。また，第１の接続流路３１と第２の接続流路３２との間には，空隙が形成されていてもよい。
【００２１】
図２（ｃ−１）及び図２（ｃ−２）は，別の実施形態に係るループ型水槽１を示している。図２（ｃ−１）は，ループ型水槽１の長手側の側面図であり，図２（ｃ−２）は，ループ型水槽１の短手側の側面図である。図２（ｃ−１）等の例は，前述した図２（ｂ−１）等の例とは異なり，直線部１０ａ，２０ａが存在しない。このため，各円形状水槽部１０，２０は，長手方向の外側の端部から上下方向の頂点までがすべて傾斜部１０ｂ，１０ｃ，２０ｂ，２０ｃとして構成されている。この場合でも，上向きに傾斜する傾斜部１０ｂ，２０ｂと，下向きに傾斜する傾斜部１０ｃ，２０ｃの両方が存在している。このように，直線部１０ａ，２０ａを設けず，各円形状水槽部１０，２０の全体が傾斜部１０ｂ，１０ｃ，２０ｂ，２０ｃとして構成されていてもよい。図２（ｃ−１）等の例では，前述した図２（ｂ−１）と比較して，傾斜部の傾斜角度θが小さくなる。例えば，傾斜部の傾斜角度θは，１〜２５度，３〜２０度，又は４〜１２度であることが好ましい。この場合においても，第１の円形状水槽部１０と第２の円形状水槽部２０のそれぞれに，ループ型水槽１の長手方向両端部を繋ぐ仮想的な直線に対して上向きに傾斜する傾斜部１０ｂ，２０ｂと，下向きに傾斜する傾斜部１０ｃ，２０ｃの両方が存在していることが好ましい。
【００２２】
図３は，ループ型水槽１を構成する第１の円形状水槽部１０，第２の円形状水槽部２０，及び接続部３０の断面形状の例を模式的に示している。例えば，図３に示されるように，各部の断面形状は，円状（ａ），上部が切欠きされた円状（ｂ），弓型（ｃ），面取りされた四角状（ｄ），又はＵ字状（ｅ）とすることができる。図３（ａ）に示されるように，断面形状が円形である場合には，全周囲が壁で塞がれることとなる。なお，断面円形には，正円形の他に楕円形が含まれる。また，図３（ｂ）に示されるように，断面形状が上部が切欠きされた円状である場合，図３（ａ）に示した円形の０度と１８０度と結ぶ仮想直線よりも上方の位置において，この仮想直線と平行に切り欠きされた形状となる。他方で，図３（ｃ）に示されるように，断面形状が弓型である場合，図３（ａ）に示した円形の０度と１８０度と結ぶ仮想直線よりも下方の位置において，この仮想直線と平行に切り欠きされた形状となる。このように，断面形状を上部が切り欠きされた円状又は弓形とすることで，ループ型水槽１の内部へのアクセスが容易なり，水槽の洗浄や，水の入れ替え，エサの投入，その他の魚類の世話を行いやすくなる。また，図３（ｄ）に示されるように，断面形状を面取りされた四角状とすることもできる。この場合には，少なくとも各部の内壁の角部が丸く面取りされているため，その中で遊泳する魚類が傷ついたり，あるいは遊泳を阻害することが少ない。また，図３（ｅ）に示されるように，断面形状をＵ字状とすることで，弓型等と同様に，ループ型水槽１の内部へのアクセスが容易なる。なお，ループ型水槽１の各部の断面形状は，ここで説明した形状に限定されず，その他の多角形状とすることもできる。また，各部の断面形状は，ここで説明した一種のみを採用することとしてもよいし，二種以上を採用して部分ごとに断面形状を異ならせることも可能である。
【００２３】
ループ型水槽１の流路を構成する部材は，基本的に，透明又は半透明の部材であることが好ましい。ループ型水槽１の流路は，例えば公知のプラスチック材料によって構成すればよい。プラスチック材料の例は，ポリエチレン（ＰＥ），ポリプロピレン（ＰＰ），ポリ塩化ビニル（ＰＶＣ），ポリスチレン（ＰＳ），ポリ酢酸ビニル（ＰＶＡｃ），ポリウレタン（ＰＵＲ），ＡＢＳ（アクリロニトリルブタジエンスチレン），ＡＳ（アクリロニトリルスチレン），又はアクリル（ＰＭＭＡ）である。また，ループ型水槽１の流路を構成する部材は，ガラス又は強化ガラスを採用することとしてもよい。
【００２４】
また，図１に示した例のように，ループ型水槽１は，予め複数の流路形成部材に分割されており，各部材に設けられたフランジ部を突き合わせてボルト締めして連結することで，第１の円形状水槽部１０，第２の円形状水槽部２０，及び接続部３０を構成するようにしてもよい。例えば，図１に示されるように，９０度分の流路を形成する部材を複数用意し，各部材を繋ぎ合わせることで，平面略∞状の流路を形成することができる。このようにすれば，一部を取り外して内壁の汚れを洗浄したり，劣化した部分のみを交換することが可能となるため，作業コスト及び維持コストを低減することができる。また，図１に示されるように，ループ型水槽１には，魚類，水，又はエサを投入するための投入口１３が一又は複数箇所に設けられていることが好ましい。
【００２５】
続いて，図４は，水槽システム１００の構成の一例を模式的に示したブロック図である。図４に示されるように，水槽システム１００は，前述したループ型水槽１及び外部水槽２に加えて，さらに，一又は複数のセンサ３，一又は複数の供給部４，及び制御部５を備えることが好ましい。これらのセンサ３，供給部４，制御部５は，イントラネット又はインターネットなどのネットワークを通じて互いに接続されている。
【００２６】
センサ３は，ループ型水槽１に取り付けられており，このループ型水槽１内の魚類の濃度（密度），エサの濃度，排泄物又は排泄物由来の物質の濃度，及び残渣の濃度の少なくとも何れか１つ以上を解析するのに用いることができるセンシング情報を取得する。センサの種類や構造は特に限定されず，ここに挙げた魚類の濃度，エサの濃度，排泄物等の濃度，残渣の濃度に関するセンシング情報を検出することのできる公知のものを採用できる。センサ３は，得られたセンシング情報を制御部５へと伝達する。
【００２７】
供給部４は，ループ型水槽１に取り付けられており，このループ型水槽１の内部に水及びエサ日の少なくとも何れか一方を供給するための装置である。供給部４は，エサを溜める貯餌部と水を溜める貯水部とを有しており，制御部５からの制御に従って，貯餌部又は貯水部から適切な文量のエサ又は水をループ型水槽１に供給する。なお，供給部４は，浄水機能を有するものであってもよい。
【００２８】
制御部５は，一又は複数のセンサ３からセンシング情報に基づいて，魚類の濃度，エサの濃度，排泄物又は排泄物由来の物質の濃度，及び残渣の濃度の１又は複数を解析して，供給部４がループ型水槽１内に供給する水及びエサの供給量を決定し，その供給量を制御指令として供給部４に伝達する。制御部５の機能は汎用的なコンピュータにより実現できる。制御部５は，例えば，入力部，記憶部，演算部，及び出力部を有している。制御部５は，入力部を介して複数のセンサ３からセンシング情報を受け取ると，演算部によって，記憶部に記憶されている専用のアプリケーショプログラムに従って，センシング情報に基づいて，魚類の濃度，エサの濃度，排泄物等の濃度，及び残渣の濃度の１つ以上を解析する。そして，演算部は，ここで解析した情報にもとづいて，適切なエサ及び水の供給量を求める。例えば，ループ型水槽内の魚類の濃度に対して，エサの濃度が低い場合には，エサの供給量を増やすようにする。反対に，魚類の濃度に対して，エサの濃度が高くなっている場合には，エサの供給量を減らすようにする。また，例えば，排泄物等の濃度や残渣の濃度が高まっている場合には，水の供給量を増やすようにする。制御部５は，このようにして演算部で求めた適切なエサと水の供給量を，制御指令として出力部５を介して供給部４へと伝達する。なお，制御部５は，センシング情報や演算部での演算結果（供給量）を記憶部に蓄積し，蓄積した情報に基づいた統計処理などを行うことも可能である。このようにして，制御部５は，１又は複数のセンサ３により得られたセンシング情報から，魚類の濃度，エサの濃度，排泄物又は排泄物由来の物質の濃度，及び残渣の濃度の１又は複数を解析し，１又は複数の供給部４から供給される，水及びエサのいずれか又は両方の供給量を制御する制御指令を１又は複数の供給部４へ伝える。これにより，水槽内の環境を，魚類の飼育に適した環境に簡単又は自動的に調整することができる。
【００２９】
さらに，図４に示されるように，水槽システム１００は，水流ポンプ６を備えることが好ましい。水流ポンプ６は，ループ型水槽１の内部に一方向に向かう水流を生成するための装置である。水流ポンプ６により，ループ型水槽１内に水流を生成することで，この水槽１内の魚類の遊泳方向を統一することができるため，魚類同士の接触などを避けることができる。また，水流ポンプ６は，制御部５にネットワークを介して接続されており，制御部からの制御を受けて，水流の速度などを調整することができるものであってもよい。
【産業上の利用可能性】
【００３０】
本発明は，魚類の仔稚魚を飼育するためのループ型水槽及び水槽システムに関する。特に，本発明の水槽及び水槽システムは，広域回遊魚類の飼育，特に養殖が困難とされているウナギの仔稚魚の飼育に適したものである。従って，本発明は，水産業において公的に利用できる。
【符号の説明】
【００３１】
１…ループ型水槽                      ２…外部水槽
３…センサ                            ４…供給部
５…制御部                            ６…水流ポンプ
１０…第１の円形状水槽部              １１…第１の端部
１２…第２の端部                      １３…投入口
２０…第２の円形状水槽部              ２１…第１の端部
２２…第２の端部                      ３０…接続部
３１…第１の接続流路                  ３２…第２の接続流路
１００…水槽システム
【図１】
2020031534.tif 000003
【図２】
2020031534.tif 000004
【図３】
2020031534.tif 000005
【図４】
2020031534.tif 000006